【事件の表示】
　特願２００２−２５６１３９「インクジェットヘッド」拒絶査定不服審判事件〔平成１６年　３月２５日出願公開、特開２００４−　９０４９５〕について、次のとおり審決する。
【結　論】
　本件審判の請求は、成り立たない。
【理　由】
第１　手続の経緯・本願発明
１　本願は、平成１４年８月３０日の出願であって、平成２０年５月２６日に手続補正がなされ、同年７月３１日付けで拒絶査定がなされ、これに対して、同年９月４日に拒絶査定不服審判が請求されたものである。
　
２　本願の請求項１に係る発明は、平成２０年５月２６日付け手続補正後の明細書及び図面の記載からみて、その特許請求の範囲の請求項１に記載されたとおりの次のものと認める。
「インクを吐出するインクジェットヘッドであって、外部機器側コネクタと嵌合するヘッド側コネクタと、前記ヘッド側コネクタが固定され、前記ヘッド側コネクタが前記外部機器側コネクタと嵌合する方向に対して略直交する方向に移動可能なコネクタ取付基板と、を有するヘッド側接続ユニットと、前記コネクタ取付基板を前記外部機器側コネクタと嵌合する方向に固定する筐体と、を備え、前記筐体は、前記ヘッド側接続ユニットを支持するコネクタ支持部を有し、前記コネクタ取付基板は、そのコネクタ取付基板の両側縁部に設けた溝で前記コネクタ支持部の縁部と係合することを特徴とするインクジェットヘッド。」（以下「本願発明」という。）
　
第２　引用刊行物の記載事項
　原査定の拒絶の理由に引用された本願の出願前に頒布された刊行物である特開２００２−２４０２６０号公報（以下「引用例」という。）には、次の事項が図とともに記載されている。（下線は審決で付した。以下同じ。）
　
１　「【請求項１】  印字手段に関わる消耗品をプリンター本体に対して交換可能にしたプリンターであって、上記
消耗品はプリンター本体に対して出し入れ自在に設けられた消耗品トレイに着脱自在に設けられており、上記消耗品又は消耗品トレイに設けられた接続コネクターとプリンター本体に設けられた接続コネクターとが
接続されるようにした
プリンター
　
２　「【００２３】
インクカートリッジ２０はインクタンク２７及びプリンターヘッド２８一体型のものであり
プリンターヘッド２８は、
インク吐出孔（図示は省略する。）が設けられ、
　
３　「【００２５】また、
インクカートリッジ２０の背面には接続コネクター（以下「カートリッジ側接続コネクター」という。）２９が設けられており、プリンター本体６側の接続コネクター（以下「本体側接続コネクター」という。）３１と電気的接続が図られ、これにより、上記プリンターヘッド２８への給電が可能となって、プリンターヘッド２８を駆動することができる
【００２６】インクカートリッジ２０がインクカートリッジトレイ８の凹部１８に装着されると、上記カートリッジ側接続コネクター２９が上記枠体１７の切欠部２３に位置し、インクカートリッジトレイ８がプリンター本体６に挿入されると、上記切欠部２３内に上記本体側接続コネクター３０が相対的に挿入されて、
カートリッジ側接続コネクター２９と本体側接続コネクター３０とが接続されるようになっている
　
４　「【００２８】
本体側接続コネクター３０は、その接続方向に対して直交する面を有する支持基板３２に支持されており、また、該支持基板３２は上記固定板１３の上面にネジ止めされたホルダー３３に後述するように支持され、
【００２９】
ホルダー３３は底板３５と該底板３５の左右両端部に立設された２つの支柱３６、３６とから成り、該支柱３６、３６には互いに対向する面に上下方向に伸びるスリット３６ａ、３６ａがそれぞれ形成されている。また、これらスリット３６ａ、３６ａは上記支持基板３２の板厚よりやや大きい幅で形成されている
【００３０】上記支持基板３２の左右方向の長さは、２つの支柱３６、３６間の間隔よりも長く、かつ、２つの支柱３６、３６のスリット３６ａ、３６ａの底面間の間隔よりも短く形成されている（図８参照）。
【００３１】そして、
２つの支柱３６、３６にそれぞれ形成されたスリット３６ａ、３６ａに上記支持基板３２が上方から嵌合されることにより、上記本体側接続コネクター３０がホルダー３３に左右方向及び上下方向に移動自在に支持されて、支持基板３２は２つの接続コネクター２９、３０の接続方向に対して直交する面を有することになる。
　
５　「【００３４】しかして、インクカートリッジトレイ８がプリンター本体６に挿入されたときに、そのインクカートリッジ２０に設けられた
カートリッジ側接続コネクター２９と本体側接続コネクター３０とが結合して、インクカートリッジ２０のプリンターヘッド２８への給電が為される
　
６　「【００３６】また、
この実施の形態
本発明はこれに限らず、カートリッジ側接続コネクター２９を移動自在にしておき、本体側接続コネクター３０を固定しておいても良い。要は、２つの接続コネクター２９、３０のずれを吸収するような構成になっていればよい
　
７　「【００７６】さらに、
この実施の形態にかかるプリンター１
もちろん、本発明プリンターにおいては、インクカートリッジトレイにプリンターヘッドが設けられ、これにインクタンクを交換するタイプのものにも適用することができる。
　
８　図９の記載から、本体側接続コネクター３０と支持基板３２とが一体のユニットとなっていると見て取れる。
　
９　上記１ないし８から、引用例には、
「インクカートリッジはインク吐出孔が設けられたプリンターヘッドとインクタンク一体型のものであり、インクカートリッジの背面にはカートリッジ側接続コネクターが設けられており、プリンター本体側の本体側接続コネクターと電気的接続が図られ、これにより、上記プリンターヘッドへの給電が可能となって、プリンターヘッドを駆動することができ、本体側接続コネクターは、その接続方向に対して直交する面を有する支持基板に支持され、本体側接続コネクターと支持基板とがユニットとなっており、固定板の上面にネジ止めされたホルダーは底板と該底板の左右両端部に立設された２つの支柱とから成り、該支柱には互いに対向する面に上下方向に伸びるスリットがそれぞれ形成され、また、これらスリットは上記支持基板の板厚よりやや大きい幅で形成されており、２つの支柱にそれぞれ形成されたスリットに上記支持基板が上方から嵌合されることにより、上記本体側接続コネクターがホルダーに左右方向及び上下方向に移動自在に支持されて、支持基板は２つの接続コネクターの接続方向に対して直交する面を有するプリンター。」の発明（以下「引用発明」という。）が、
「カートリッジ側接続コネクターを移動自在にしておき、本体側接続コネクターを固定しておいても良く、要は、２つの接続コネクターのずれを吸収するような構成になっていればよいプリンター。」の発明に関する技術（以下「引用技術１」という。）が、
「インクカートリッジトレイにプリンターヘッドが設けられ、これにインクタンクを交換するタイプのプリンター。」の発明に関する技術（以下「引用技術２」という。）が、それぞれ記載されているものと認められる。
　
第３　対比
　本願発明と引用発明とを対比する。
１　引用発明の「インク吐出孔が設けられ」、「本体側接続コネクター」及び「プリンターヘッド」は、それぞれ、本願発明の「インクを吐出する」、「外部機器側コネクタ」及び「インクジェットヘッド」に相当する。
　
２　引用発明では、「カートリッジ側接続コネクターが設けられており、プリンター本体側の本体側接続コネクターと電気的接続が図られ、これにより、プリンターヘッドへの給電が可能となって、プリンターヘッドを駆動することができ」ることから、引用発明のプリンターヘッドはカートリッジ側接続コネクターを介して本体側接続コネクターと電気的に接続がされているものと認められ、本願発明では、「『インクジェットヘッド』は『外部機器側コネクタと嵌合するヘッド側コネクタ』『を備え』」ており、本願明細書の【０００２】には、「インクジェットヘッドはヘッド側コネクタを本体側コネクタと嵌合させることでインクジェットプリンタに電気的に接続」と記載されていることから、本願発明のインクジェットヘッドは外部機器側コネクタと電気的に接続されているものと認められる。してみれば、引用発明の「カートリッジ側接続コネクターが設けられており、プリンター本体側の本体側接続コネクターと電気的接続が図られ、これにより、プリンターヘッドへの給電が可能となって、プリンターヘッドを駆動することができ」ることと、本願発明の「『インクジェットヘッド』は『外部機器側コネクタと嵌合するヘッド側コネクタ』『を備え』」ることとは、「外部機器側コネクタと電気的に接続されるインクジェットヘッド」を含む点で一致する。
　
３　上記１からみて、本願発明のインクジェットヘッドと引用発明のプリンターに設けられたプリンターヘッドとは、
「インクを吐出するインクジェットヘッドであって、外部機器側コネクタと電気的に接続されるインクジェットヘッド。」である点で一致し、次の相違点１及び２で相違する。
相違点１：
　本願発明においては、「外部機器側コネクタと嵌合するヘッド側コネクタと、前記ヘッド側コネクタが固定され、前記ヘッド側コネクタが前記外部機器側コネクタと嵌合する方向に対して略直交する方向に移動可能なコネクタ取付基板と、を有するヘッド側接続ユニット、前記コネクタ取付基板を前記外部機器側コネクタと嵌合する方向に固定する筐体と、を備え」ているのに対して、引用発明においては、「『インクカートリッジの背面にはカートリッジ側接続コネクターが設けられており、プリンター本体側の本体側接続コネクターと電気的接続が図られ、これにより、上記プリンターヘッドへの給電が可能となって、プリンターヘッドを駆動することができ、』『本体側接続コネクターは、その接続方向に対して直交する面を有する支持基板に支持され、本体側接続コネクターと支持基板とがユニットとなっており、』『スリットに上記支持基板が上方から嵌合されることにより、上記本体側接続コネクターがホルダーに左右方向及び上下方向に移動自在に支持されて、支持基板は２つの接続コネクターの接続方向に対して直交する面を有する』」としている点。
　
相違点２：
　本願発明においては、「前記筐体は、前記ヘッド側接続ユニットを支持するコネクタ支持部を有し、前記コネクタ取付基板は、そのコネクタ取付基板の両側縁部に設けた溝で前記コネクタ支持部の縁部と係合する」ものであるのに対して、引用発明においては、「固定板の上面にネジ止めされたホルダーは底板と該底板の左右両端部に立設された２つの支柱とから成り、該支柱には互いに対向する面に上下方向に伸びるスリットがそれぞれ形成され、また、これらスリットは上記支持基板の板厚よりやや大きい幅で形成されており、２つの支柱にそれぞれ形成されたスリットに上記支持基板が上方から嵌合される」としている点。
　
第４　判断
　上記相違点１ないし２について検討する。
１　相違点１について
（１）インクジェットヘッドが筐体を備えることは、本願出願前に周知である（例．特開２００１−２６０３３７号公報（【０００６】、【００４３】、【００６１】、【００６２】、図５及び図７参照。）、特開２００２−１２７５４６号公報（【００２５】、【００２６】及び図４参照。）、特開２００２−２１０９２９号公報（【００２７】、【００２８】及び図４参照。）、以下「周知技術」という。）。
　
（２）引用技術２は、「インクカートリッジトレイにプリンターヘッドが設けられ、これにインクタンクを交換するタイプのプリンター」であることから、プリンターヘッドとインクタンクを別体としており、また、引用発明は、プリンターヘッドへの給電を行うものである。そして、引用技術２の摘記箇所の引用例の【００７６】には、引用例の発明に適用できる旨記載されていることから、引用例に記載された引用発明において、引用技術２を適用し、本体側接続コネクターと電気的接続されるカートリッジ側接続コネクターをプリンターヘッド側に配置することは、当業者が容易に想到することにすぎない（以下、引用発明において、カートリッジ側接続コネクターをプリンターヘッド側に配置したものを、プリンターヘッド側接続コネクターという。）。
　
（３）引用技術１は、「カートリッジ側接続コネクターを移動自在にしておき、本体側接続コネクターを固定しておいても良く、要は、２つの接続コネクターのずれを吸収するような構成になっていればよいプリンター」であり、また、引用発明は、「本体側接続コネクターは、その接続方向に対して直交する面を有する支持基板に支持され、本体側接続コネクターと支持基板とがユニットとなって」おり、さらに、「スリットに上記支持基板が上方から嵌合されることにより、上記本体側接続コネクターがホルダーに左右方向及び上下方向に移動自在に支持され」ている。そして、引用技術１の摘記箇所の引用例の【００３６】には、引用例の発明に適用できる旨記載されていることから、引用例に記載された引用発明において、引用技術１を適用して、プリンターヘッド側接続コネクターと、プリンターヘッド側接続コネクターと本体側接続コネクターとの接続方向に対して直交する面を有し、左右方向及び上下方向に移動自在に支持されるプリンターヘッド側接続コネクターが固定された支持基板と、を有するユニットを設けることは、当業者が容易に想到することにすぎない。
　
（４）さらに、引用発明は、「固定板の上面にネジ止めされたホルダーは底板と該底板の左右両端部に立設された２つの支柱とから成り、該支柱には互いに対向する面に上下方向に伸びるスリットがそれぞれ形成され、また、これらスリットは上記支持基板の板厚よりやや大きい幅で形成されており、２つの支柱にそれぞれ形成されたスリットに上記支持基板が上方から嵌合されることにより、上記本体側接続コネクターがホルダーに左右方向及び上下方向に移動自在に支持されて、支持基板は２つの接続コネクターの接続方向に対して直交する面を有」していることから、引用発明において、上記（３）のプリンターヘッド側接続コネクターが固定された支持基板に上記（１）に記載の周知技術を採用し、プリンターヘッド側接続コネクターが固定された支持基板を２つの接続コネクターの接続方向に固定する筐体となすことは、当業者が容易に想到することにすぎない。
　
（５）また、上記（１）ないし（４）からみて、引用発明において、「本体側接続コネクターと電気的接続されるプリンターヘッド側接続コネクターと、プリンターヘッド側接続コネクターと本体側接続コネクターとの接続方向に対して直交する面を有し、左右方向及び上下方向に移動自在に支持されるプリンターヘッド側接続コネクターが固定された支持基板と、を有するユニットを設け、支持基板を２つの接続コネクターの接続方向に固定する筐体となすこと」は、当業者が引用技術１、引用技術２及び周知技術に基づいて容易になし得た程度のことである。
　
（６）よって、上記（５）の「本体側接続コネクターと電気的接続されるプリンターヘッド側接続コネクターと、プリンターヘッド側接続コネクターと本体側接続コネクターとの接続方向に対して直交する面を有し、左右方向及び上下方向に移動自在に支持されるプリンターヘッド側接続コネクターが固定された支持基板と、を有するユニットを設け、支持基板を２つの接続コネクターの接続方向に固定する筐体となすこと」は、本願発明の「外部機器側コネクタと嵌合するヘッド側コネクタと、前記ヘッド側コネクタが固定され、前記ヘッド側コネクタが前記外部機器側コネクタと嵌合する方向に対して略直交する方向に移動可能なコネクタ取付基板と、を有するヘッド側接続ユニット、前記コネクタ取付基板を前記外部機器側コネクタと嵌合する方向に固定する筐体と、を備え」に相当するから、引用発明において、上記相違点１に係る本願発明の構成となすことは、当業者が引用技術１、引用技術２及び周知技術に基づいて容易になし得た程度のことである。
　
２　相違点２について
（１）引用発明では、「ホルダーは底板と該底板の左右両端部に立設された２つの支柱とから成り、該支柱には互いに対向する面に上下方向に伸びるスリットがそれぞれ形成され、また、これらスリットは上記支持基板の板厚よりやや大きい幅で形成されており、２つの支柱にそれぞれ形成されたスリットに上記支持基板が上方から嵌合される」としていること、上記１（２）及び（３）で検討したように、プリンターヘッド側接続コネクターが支持基板に固定され、プリンターヘッド側接続コネクターと支持基板とを有するユニットとすること、インクジェットヘッドが筐体を備えることは上記１（１）で記載したように周知技術であることから、引用発明に、引用技術１、引用技術２及び周知技術を採用して、筐体にユニットを支持する支柱を設け、支持基板は、その支持基板の両端が支柱に設けたスリットと嵌合される構成となすことは、当業者が適宜なし得たことにすぎず、その場合に支持基板と支柱のどちらに溝を設けるかは設計事項にすぎない。
　
（２）上記（１）からみて、引用発明において、「筐体にユニットを支持する支柱を設け、支持基板は、その支持基板の両端にスリットを設けて支柱に嵌合する構成となすこと」は、当業者が引用技術１、引用技術２及び周知技術に基づいて容易になし得た程度のことである。
　
（３）よって、上記（２）の「筐体にユニットを支持する支柱を設け、支持基板は、その支持基板の両端にスリットを設けて支柱に嵌合する構成となすこと」は、本願発明の「前記筐体は、前記ヘッド側接続ユニットを支持するコネクタ支持部を有し、前記コネクタ取付基板は、そのコネクタ取付基板の両側縁部に設けた溝で前記コネクタ支持部の縁部と係合する」ことに相当するから、引用発明において、上記相違点２に係る本願発明の構成となすことは、当業者が引用技術１、引用技術２及び周知技術に基づいて容易になし得た程度のことである。
　
３　効果について
　本願発明の奏する効果は、引用発明、引用技術１、引用技術２及び周知技術の奏する効果から当業者が予測することができた程度のものである。
　
４　まとめ
　したがって、本願発明は、当業者が引用発明、引用技術１、引用技術２及び周知技術に基づいて容易に発明をすることができたものである。
　
第５　むすび 
　以上のとおり、本願発明は、当業者が引用例に記載された発明及び周知技術に基づいて容易に発明をすることができたものであるから、特許法第２９条第２項の規定により特許を受けることができない。
　よって、結論のとおり審決する。